(57)【要約】以下のステップを含む方法が特に開示される。−  包装システム（２０）の製作パラメータ情報を取得する、および／または利用可能に保持する、ステップ（３０１）であって、包装システム（２０）の１つまたは複数の所定の製作パラメータについての製作パラメータ情報は、何れの場合も、所定の以前の時間周期の間に記録された推移（４０３〜４０５）を表す、ステップ（３０１）と、−  所定の製作パラメータの少なくとも各々について、製作パラメータ情報に少なくとも部分的に基づき、所定の以降の時間周期の間に予測されるそれぞれの推移（４０６〜４０８）を判定するステップ（３０２）と、−  製作パラメータ推移ビュー（４０）をグラフィックユーザ面（４）の一部として表示する、または表示させる、ステップ（３０３）であって、製作パラメータ推移ビュー（４０）の第１区画（４０１）は、所定の以前の時間周期の間に記録された所定の製作パラメータの推移（４０３〜４０５）をグラフで表し、第１区画（４０１）に続く製作パラメータ推移ビュー（４０）の第２区画（４０２）は、所定の以降の時間周期の間に予測される所定の製作パラメータの推移（４０６〜４０８）をグラフで表す、ステップ（３０３）。【選択図】図４
2020517535.tif 000002
【特許請求の範囲】
【請求項１】
方法であって、
−  包装システム（２０）の製作パラメータ情報を取得する、および／または利用可能に保持する、ステップ（３０１）であって、前記包装システム（２０）の１つまたは複数の所定の製作パラメータについての前記製作パラメータ情報は、何れの場合も、所定の以前の時間周期の間に記録された推移（４０３〜４０５）を表す、ステップ（３０１）と、
−  前記所定の製作パラメータの少なくとも各々について、前記製作パラメータ情報に少なくとも部分的に基づき、所定の以降の時間周期の間に予測されるそれぞれの推移（４０６〜４０８）を判定するステップ（３０２）と、
−  製作パラメータ推移ビュー（４０）をグラフィックユーザ面（４）の一部として表示する、または表示させる、ステップ（３０３）であって、前記製作パラメータ推移ビュー（４０）の第１区画（４０１）は、前記所定の以前の時間周期の間に記録された前記所定の製作パラメータの前記推移（４０３〜４０５）をグラフで表し、前記第１区画（４０１）に続く前記製作パラメータ推移ビュー（４０）の第２区画（４０２）は、前記所定の以降の時間周期の間に予測される前記所定の製作パラメータの前記推移（４０６〜４０８）をグラフで表す、ステップ（３０３）と、
を含む方法。
【請求項２】
前記所定の製作パラメータの各々についての前記製作パラメータ情報は、何れの場合も、前記所定の以前の時間周期の間に記録された複数の製作パラメータ値と前記それぞれの製作パラメータの現在の製作パラメータ値とを表す、請求項１に記載の方法。
【請求項３】
前記所定の製作パラメータの各々についての前記製作パラメータ推移ビュー（４０）は、何れの場合も、前記それぞれの製作パラメータに対応付けられた推移曲線（４０３〜４０８）を含み、前記推移曲線の各々は、何れの場合も、前記それぞれの推移曲線に対応付けられた前記製作パラメータについて記録された、および予測される、推移をグラフで表す、請求項１または２に記載の方法。
【請求項４】
前記推移曲線の各々は、前記製作パラメータ推移ビュー（４０）の前記第１区画および前記第２区画（４０１、４０２）の間の移行部（４１０）において、前記それぞれの推移曲線（４０３〜４０８）に対応付けられた前記製作パラメータの現在の製作パラメータ値を表す、請求項３に記載の方法。
【請求項５】
前記製作パラメータ推移ビュー（４０）の前記第１区画および前記第２区画（４０１、４０２）の間の前記移行部（４１０）は、前記製作パラメータ推移ビュー（４０）において図式的に強調される、請求項１〜４の何れか一項に記載の方法。
【請求項６】
前記製作パラメータ推移ビュー（４０）の前記第１区画および前記第２区画（４０１、４０２）の間の前記移行部（４１０）は、前記グラフィックユーザ面（４）の中心の外側の位置にある、請求項１〜５の何れか一項に記載の方法。
【請求項７】
−  前記所定の製作パラメータの各々について、前記それぞれの製作パラメータについて記録された前記推移（４０３〜４０５）、および／または前記それぞれの製作パラメータについて予測される前記推移（４０６〜４０８）、に少なくとも部分的に基づき、前記それぞれの製作パラメータを前記所定の以前の時間周期における、および前記所定の以降の時間周期における、一時点において、所定の製作イベントに対応付け可能であるかどうかを判定するステップ（３０４）、
を更に含む、請求項１〜６の何れか一項に記載の方法。
【請求項８】
前記所定の製作パラメータのうちの１つについての前記判定によって、前記製作パラメータは、前記所定の以前の時間周期における、および／または前記所定の以降の時間周期における、一時点において、所定の製作イベントに対応付け可能であると判定された場合は、
−  前記製作パラメータ推移ビュー（４０）において前記時点を強調する、および／または強調させる、ステップ（３０５）、
−  前記製作イベントに対応付けられた製作イベント通知を前記グラフィックユーザ面（４）の一部として表示する、および／または表示させる、ステップ（３０６）、
−  前記製作イベントに対応付けられた前記グラフィックユーザ面の製作イベントビューを開くためのユーザ入力インタフェースを前記グラフィックユーザ面（４）の一部として提供する、および／または提供させる、ステップ（３０７）、
のうちの少なくとも１つを更に含む、請求項７に記載の方法。
【請求項９】
前記包装システム（２０）が複数の製作ラインを備える場合、前記所定の製作パラメータのうちの少なくとも１つは、前記包装システム（２０）の一製作ラインに固有の製作パラメータである、または複数の製作ラインにわたって平均化された製作パラメータである、請求項１〜８の何れか一項に記載の方法。
【請求項１０】
−  前記所定の製作パラメータ、前記所定の以前の時間周期、および／または前記所定の以降の時間周期、を事前に規定する、および／または調整する、ためのユーザ入力インタフェースを前記グラフィックユーザ面（４）の一部として提供する、および／または提供させる、ステップ、
を更に含む、請求項１〜８の何れか一項に記載の方法。
【請求項１１】
プログラム命令を備えたコンピュータプログラムであって、前記コンピュータプログラムがプロセッサ（１０）によって実行されると、前記プログラム命令は、請求項１〜１０の何れか一項に記載の方法を前記プロセッサ（１０）に実施および／または制御させる、コンピュータプログラム。
【請求項１２】
装置（１）であって、請求項１〜１０の何れか一項に記載の方法を実施および／または制御するように構成された、または請求項１〜１０の何れか一項に記載の方法のステップを実施および／または制御するためのそれぞれの手段（１０〜１４）を備えた、装置（１）。
【請求項１３】
システム（２）であって、
−  請求項１２に記載の装置（１）と、
−  包装システム（２０）と、
を備えたシステム（２）。
【発明の詳細な説明】
【技術分野】
【０００１】
本発明の複数の例示的実施形態は、包装システムの監視および／または制御に関し、特に、包装システムを監視および／または制御するためのユーザ面の一部としての包装パラメータの表示に関する。
【背景技術】
【０００２】
例えば、食品などの商品を包装するためのシステムなどの包装システムが公知である。これらシステムは、多くの場合、単一のユーザによって監視または制御され、例えば、包装システムの製作パラメータの現在の製作パラメータ値が対応する計器および／またはグラフィックユーザインタフェースによって、例えば、棒グラフ、スケール表示、および／または数値表示の形態でユーザに表示される。これら表示は、しばしば不明確であり、且つユーザフレンドリでなく、携帯型装置の、外形寸法が限られた、グラフィックユーザインタフェースによっては表示できない、または表示できるとしても困難である。特に、包装システムの監視および制御に関して、このような包装システムに存在し得る多数の構成要素の故に、製作パラメータの明確且つユーザフレンドリな表示をもたらすことは（他の包装システムと異なり）特に困難である。
【発明の概要】
【課題を解決するための手段】
【０００３】
したがって、本発明の目的は、上記の諸欠点の１つ以上を克服し、例えば、包装システムの製作パラメータの明確且つユーザフレンドリな表示への解決策を提供することであった。
【０００４】
本発明によると、一方法が開示される。本方法は、
−  包装システムの製作パラメータ情報を取得する、および／または利用可能に保持する、ステップであって、包装システムの１つまたは複数の所定の製作パラメータについての製作パラメータ情報は、何れの場合も、所定の以前の時間周期の間に記録された推移を表す、ステップと、
−  所定の製作パラメータの少なくとも各々について、製作パラメータ情報に少なくとも部分的に基づき、所定の以降の時間周期の間に予測されるそれぞれの推移を判定するステップと、
−  製作パラメータ推移ビューをグラフィックユーザ面の一部として表示する、または表示させる、ステップであって、製作パラメータ推移ビューの第１区画は、所定の以前の時間周期の間に記録された所定の製作パラメータの推移をグラフで表し、第１区画に続く製作パラメータ推移ビューの第２区画は、所定の以降の時間周期の間に予測される所定の製作パラメータの推移をグラフで表す、ステップと、
を含む。
【０００５】
本発明による方法は、例えば、包装システムを監視および／または制御するための方法、またはこのような方法の一部、である。
【０００６】
更に、本発明によると、複数のプログラム命令を含むコンピュータプログラムが開示される。これらプログラム命令は、コンピュータプログラムがプロセッサによって実行されると、本発明による方法をプロセッサに実施および／または制御させる。本方法の全てのステップの制御が可能であるか、または本方法の全てのステップの実施が可能であるかのどちらかであるか、あるいは１つ以上のステップの制御が可能であり、且つ１つ以上のステップの実施が可能である。
【０００７】
コンピュータプログラムは、例えば、インターネット、電話または移動体通信網、および／またはローカル網などのネットワークを介して共用可能である。コンピュータプログラムは、少なくとも一部をプロセッサのソフトウェアおよび／またはファームウェアとすることができる。少なくとも一部をハードウェアとして実装し得る。
【０００８】
コンピュータプログラムは、例えば、コンピュータ可読記憶媒体に収容および／または記憶される。物理および／または有形記憶媒体とは、例えば、コンピュータ可読記憶媒体であると理解される。
【０００９】
コンピュータプログラムは、例えば、包装システムを監視および／または制御するためのコンピュータプログラムである。
【００１０】
更に、本発明によると、本発明による方法を実施および／または制御するように構成された、または本発明による方法のステップを実施および／または制御するためのそれぞれの手段を備えた、装置が開示される。本発明による方法の全てのステップがこれら手段によって制御可能であるか、または本発明による方法の全てのステップがこれら手段によって実施可能であるかのどちらかであるか、あるいは１つ以上のステップがこれら手段によって制御可能であり、且つ１つ以上のステップがこれら手段によって実施可能である。必要に応じて、さまざまなステップをさまざまな手段によって実施または制御可能である。
【００１１】
開示される装置の手段は、ハードウェアおよび／またはソフトウェア構成要素を備えることができる。これら手段は、例えば、コンピュータプログラム（例えば、本発明によるコンピュータプログラム）のためのプログラム命令を複数有するメモリと、この少なくとも１つのメモリからのプログラム命令を実行するように構成された少なくとも１つのプロセッサとを備える。同様に、本発明によると、少なくとも１つのプロセッサと複数のプログラム命令を有する少なくとも１つのメモリとを備えた少なくとも１つの装置が開示されると理解されたい。この少なくとも１つのメモリおよび複数のプログラム命令は、少なくとも１つのプロセッサと共に、装置に本発明による方法を実施および／または制御させるように構成される。
【００１２】
加えて、開示される装置は、例えば、（例えば、情報の送受信用の）通信インタフェースおよび／またはユーザインタフェース（例えば、グラフィックユーザインタフェース）などの追加手段を備えることができる。
【００１３】
装置は、例えば、包装システムを監視および／または制御するための装置である。
【００１４】
更に、本発明によると、システムが開示される。本システムは、
−  本発明による装置と、
−  包装システムと、
を備える。
【００１５】
以下においては、本発明による方法、本発明によるコンピュータプログラム、本発明による装置、および本発明によるシステム、の特性および特徴を、場合によっては例によって、説明する。
【００１６】
例えば食品などの商品を包装するためのシステムが包装システムと理解される。特に、包装システムは、飲料充填システム、および／または飲料充填システムの一部、を意味すると理解されたい。このようなシステムには、多数の異なる構成要素、例えば、加熱システム（例えば、充填製品の超高温加熱のための加熱システム）、充填機、閉止栓および／または飲料ストローを取り付けるためのアプリケータ、スイッチポイント、ケースパッカー、およびカートナー、が使用されていることが多い。これら構成要素上で（例えば、これら構成要素のプロセッサによって実行されるコンピュータプログラムの形態の）さまざまなアプリケーションが実行される。
【００１７】
包装システムの一製作パラメータは、例えば、包装システム、および／または包装システムによって実施される製作工程、のステータスに固有のパラメータである。このような製作パラメータの複数の例は、例えば、包装体当たりの充填量、温度（例えば、充填材料の温度）、充填ステータスまたは充填レベル（例えば、パーセント値、例えば、包装システムの包装材マガジンの充填ステータス、または包装システムの充填材料タンクなどの製品タンクの充填レベル）、包装システムの総システム性能および／または包装システムの１つまたは複数の構成要素の性能（例えば、包装システムおよび／または構成要素によって一時間当たりに処理される包装体の数）、圧力（例えば、ミリバールまたはバール値、例えば、包装システムの、および／または包装システムの一構成要素の、加圧給気の圧力）、流量（例えば、分または秒当たりのミリリットルまたはリットル値、例えば、包装システムの冷却デバイスにおける冷却用流体の流量）、時間スペック（例えば、ミリ秒または秒または分値、例えば、包装システムの、および／または包装システムの一構成要素の、洗浄工程などの進行中の工程の残り時間の通知）、および／または体積（例えば、ミリリットルまたはリットル値、例えば、包装システムの充填材料タンクなどの製品タンク内に残っている充填材料の体積）である。
【００１８】
これら構成要素のうちの少なくとも一部は、例えば、包装システムの一製作パラメータの少なくとも１つの製作パラメータ値を記録するように、およびこの少なくとも１つの記録された製作パラメータ値の表現を製作パラメータ情報として本発明による装置に（例えば、通信接続を介して本発明による装置に）送るように、構成される。
【００１９】
したがって、製作パラメータ情報の取得とは、例えば、製作パラメータ情報が（例えば、通信接続を介して本発明による装置によって）受信されることであると理解される。製作パラメータ情報は、例えば、メモリに（例えば、本発明による装置のメモリに）記憶されているときに利用可能に保持されていると理解されたい。例えば、何れの場合も、包装システムの構成要素によって直近に記録された製作パラメータ値を表す製作パラメータ情報が受信され、その後にメモリに連続的に、および／または定期的または不定期的に、記憶される。
【００２０】
製作パラメータの推移（例えば、記録された、および／または予測される、推移）は、例えば、所定の時間周期（例えば、所定の以前および／または以降の時間周期）におけるそれぞれの製作パラメータの展開を表す。
【００２１】
包装システムの所定の１つまたは複数の製作パラメータについての製作パラメータ情報が、何れの場合も、所定の以前の時間周期の間に記録された推移を表すという事実は、例えば、所定の製作パラメータの各々についての製作パラメータ情報は、所定の以前の時間周期の間に記録されたそれぞれの製作パラメータの複数の製作パラメータ値を表すことであると理解されたい。
【００２２】
所定の製作パラメータの少なくとも各々についての所定の以降の時間周期の間に予測されるそれぞれの推移の判定は、例えば、所定のアルゴリズムに従って行われる。例えば、製作パラメータ情報は、このアルゴリズムの入力値として役立つ。したがって、製作パラメータの予測される推移とは、例えば、アルゴリズムの結果として得られるそれぞれの製作パラメータの推移であると理解されたい。このようなアルゴリズムの複数の例は、例えば、回帰分析法（例えば、線形回帰法）、自己学習アルゴリズム（例えば、人工ニューラルネットワークまたはサポートベクターマシンの形態）、および外挿アルゴリズム（例えば、線形外挿）である。例えば、所定の以降の時間周期の間に予測される包装材マガジンの充填ステータスの推移を入力値として求めるための単純な外挿アルゴリズムは、製作パラメータ情報によって表される、直近に記録された包装システムの総システム性能値（例えば、１時間当たりの包装体数）と直近に記録された包装材マガジンの充填ステータスとを得ることができ、総システム性能値は所定の以降の時間周期において不変であるとの想定の下に、包装材マガジンの充填ステータスの推移を線形外挿によって推定できる。
【００２３】
例えば、所定の製作パラメータ、所定の以前の時間周期、および／または所定の以降の時間周期は、ユーザが少なくとも部分的に事前に規定できる、および／または調整できる。代わりに、または加えて、所定の製作パラメータ、所定の以前の時間周期、および／または所定の以降の時間周期は、少なくとも部分的に固定的に事前に規定可能である（すなわち、ユーザに対して変更不能に事前に規定可能である）。
【００２４】
所定の製作パラメータ、所定の以前の時間周期、および／または所定の以降の時間周期のそれぞれの表現が、例えば、メモリに（例えば、本発明による装置のメモリに）記憶される。
【００２５】
グラフィックユーザ面の一部としての製作パラメータ推移ビューの表示は、例えば、グラフィックユーザインタフェース（例えば、本発明による装置のグラフィックユーザインタフェース）によって行われる。製作パラメータ推移ビューをグラフィックユーザ面の一部として表示させるとは、例えば、製作パラメータ推移ビューをグラフィックユーザ面の一部として表示するように、グラフィックユーザインタフェースが制御されることと理解されたい。
【００２６】
グラフィックユーザ面は、例えば、包装システムを監視および／または制御するためのコンピュータプログラムの（例えば、本発明によるコンピュータプログラムの）グラフィックユーザ面など、包装システムを監視および／または制御するためのユーザ面である。製作パラメータ推移ビューは、例えば、グラフィックユーザ面の一部に（例えば、グラフィックユーザ面の一ウインドウに）表示される。追加要素（例えば、タスクリストおよび／またはステータスリスト）は、製作パラメータ推移ビューと同時に、ユーザ面の一部として依然として表示させておくことが可能である。例えば、グラフィックユーザ面は、グラフィックユーザ面の少なくとも一部（例えば、製作パラメータ推移ビュー）を表示するようにグラフィックユーザインタフェースが制御されることによって、グラフィックユーザインタフェースによって提供される。
【００２７】
製作パラメータ推移ビューの第１区画と製作パラメータ推移ビューの第２区画とが互いに接合されるという事実は、例えば、これら区画が互いに界接することと理解されたい。製作パラメータ推移ビューの第１区画と製作パラメータ推移ビューの第２区画との間の境界は、例えば、この２つの区画の間の移行部であると理解できる。
【００２８】
製作パラメータ推移ビューの第１区画は、例えば、所定の以前の時間周期の間に記録された所定の製作パラメータの推移を表す（例えば、グラフで表す）推移図を含む。製作パラメータ推移ビューの第２区画は、例えば、所定の以降の時間周期において予測される所定の製作パラメータの推移を表す（例えば、グラフで表す）推移図を含む。例えば、複数の異なる推移は、重なり合う推移曲線として、共通のＸ軸と共に、推移図に表される。
【００２９】
その結果、複数の異なる所定の製作パラメータおよびそれぞれの展開が一共通ビューでユーザに表示されるので、ユーザは複数の異なるスケール表示と数値表示との間を前後に切り換える必要がなくなる。これは、例えば、製作パラメータ推移ビューの明確且つユーザフレンドリな表示を、例えば、携帯型装置のグラフィックユーザインタフェースによっても、可能にするために有利である。ユーザは、このビューを通して、例えば、一製作パラメータの推移における異常傾向または外れ値を特定することもできるので、例えば、一製作パラメータについて記録された複数の製作パラメータ値に予め注意を払う必要がない。
【００３０】
以下においては、本発明の複数の例示的実施形態を用いて、本発明による方法、本発明によるコンピュータプログラム、本発明による装置、および本発明によるシステム、の更なる特性および特徴を説明する。
【００３１】
本発明の一例示的実施形態によると、所定の製作パラメータの各々についての製作パラメータ情報は、何れの場合も、所定の以前の時間周期の間に記録された複数の製作パラメータ値とそれぞれの製作パラメータの現在の製作パラメータ値とを表す。この場合、それぞれの製作パラメータの現在の製作パラメータ値とは、例えば、製作パラメータ情報によって表される、この製作パラメータについて、何れの場合も、直近に記録された製作パラメータ値であると理解されたい。
【００３２】
更に、表される各製作パラメータ値についての製作パラメータ情報は、その製作パラメータ値が記録された、対応する記録時刻を表すことができる。
【００３３】
上で開示したように、これら構成要素のうちの少なくとも一部は、例えば、包装システムの一製作パラメータの少なくとも１つの製作パラメータ値を記録するように、およびこの記録された少なくとも１つの製作パラメータ値の表現を製作パラメータ情報として本発明による装置に（例えば、通信接続を介して本発明による装置に）送るように、構成される。
【００３４】
本発明の一例示的実施形態によると、所定の製作パラメータの各々についての製作パラメータ推移ビューは、何れの場合も、それぞれの製作パラメータに対応付けられた推移曲線を含み、これら推移曲線の各々は、何れの場合も、それぞれの推移曲線に対応付けられた製作パラメータについて記録された、および予測される、推移をグラフで表す。例えば、このような推移曲線（例えば、推移曲線の各々）は、線または曲線図によって少なくとも部分的に形成可能である。このような線または曲線図は、例えば、所定の以前の時間周期についての製作パラメータ情報によって表される、それぞれの推移曲線に対応付けられた製作パラメータの記録された製作パラメータ値とこれらに対応付けられた記録時刻とを表す点を接続することによって、所定の以前の時間周期について得ることができる。
【００３５】
例えば、推移曲線の各々は、製作パラメータ推移ビューの第１区画および第２区画の間の移行部において、それぞれの推移曲線に対応付けられた製作パラメータの現在の製作パラメータ値を表す。この場合、それぞれの製作パラメータの現在の製作パラメータ値とは、上で開示したように、例えば、製作パラメータ情報によって表される、この製作パラメータについて、何れの場合も、直近に記録された製作パラメータ値であると理解されたい。
【００３６】
本発明の一例示的実施形態によると、製作パラメータ推移ビューの第１区画および第２区画の間の移行部は、製作パラメータ推移ビューにおいて図式的に強調される。例えば、製作パラメータ推移ビューの第１区画および第２区画の間の移行部は、マーキング（例えば、線および／または着色強調および／またはシンボルおよび／またはラベル）によって図式的に強調される。
【００３７】
本発明の一例示的実施形態によると、製作パラメータ推移ビューの第１区画および第２区画の間の移行部は、グラフィックユーザ面の中心の外側の位置にある。
【００３８】
製作パラメータ推移ビューの第１区画および第２区画の間の移行部がグラフィックユーザ面の中心の外側に位置するとは、例えば、製作パラメータ推移ビューがグラフィックユーザインタフェースによってユーザ面の一部として表示されたとき、グラフィックユーザ面の中心は製作パラメータ推移ビューの第１区画および第２区画の間の移行部に接触しない、および／またはその上に位置しない、ことと理解されたい。
【００３９】
この場合、グラフィックユーザ面の幾何学的焦点とは、グラフィックユーザ面の中心、例えば、グラフィックユーザインタフェースによって提供および／または表示されるユーザ面の幾何学的焦点、であると理解されたい。したがって、グラフィックユーザ面が、例えば、グラフィックユーザインタフェース上の矩形領域を占める場合、この矩形領域（すなわち、矩形領域によって形成された矩形）の対角線の交点は、グラフィックユーザ面の中心であると理解されたい。
【００４０】
本発明の一例示的実施形態によると、製作パラメータ推移ビューは、グラフィックユーザ面の一方の側方境界からグラフィックユーザ面の反対側の側方境界まで、少なくとも一方向に延在する。
【００４１】
この場合、例えば、グラフィックユーザ面を提供および／または表示するグラフィックユーザインタフェース上でグラフィックユーザ面が占める領域の各辺は、このグラフィックユーザ面の側方境界であると理解されたい。したがって、製作パラメータ推移ビューは、例えば、グラフィックユーザ面が、例えば、グラフィックユーザインタフェース上の一矩形領域を占めるとき、この矩形領域（すなわち、矩形領域によって形成された矩形）の一方の辺からこの矩形領域の反対側の辺まで、この矩形領域のその他の２つの辺に平行に延びる方向に延在可能である。
【００４２】
例えば、製作パラメータ推移ビューは、製作パラメータ推移ビューをグラフィックユーザ面の一部として表示するグラフィックユーザインタフェース上の一矩形領域を占める。
【００４３】
本発明の一例示的実施形態によると、本方法は、
−  所定の製作パラメータの各々について、それぞれの製作パラメータについて記録された推移、および／またはそれぞれの製作パラメータについて予測される推移、に少なくとも部分的に基づき、それぞれの製作パラメータが、所定の以前の時間周期における、および所定の以降の時間周期における、一時点において所定の製作イベントに対応付け可能であるかどうかを判定するステップ、
を更に含む。
【００４４】
製作イベントとは、例えば、所望されるイベント（例えば、製作終了イベント）および／または望まれないイベント（例えば、障害イベント）であると理解されたい。製作イベントは、例えば、包装システムのユーザによる介入を必要とし得る。このような製作イベントの複数の例は、例えば、再充填イベント（例えば、包装システムの包装材マガジンに溜められている包装材が無くなりかけているとき）、汚損または保守イベント（例えば、包装システムの構成要素の汚損または摩耗）、製作終了イベント（例えば、包装システムによって所定数の包装体が包装および／または充填されたとき）、および／または障害イベント（例えば、充填材料の温度の超過または未達）である。
【００４５】
そこで、一製作パラメータを所定の以前の時間周期における、および所定の以降の時間周期における、一時点において所定の一製作イベントに対応付け可能であるのは、例えば、この所定の製作イベントがこの時点に発生した、または発生するだろう、ということをこの製作パラメータの製作パラメータ値が示すときであると理解されたい。
【００４６】
一製作パラメータを一製作イベントに対応付け可能であるかどうかの判定は、例えば、所定の複数のルールに従って行うことができる。これら所定のルールは、例えば、一製作パラメータを所定の以前の時間周期における、および所定の以降の時間周期における、一時点において、所定の一製作イベントに対応付け可能であるという判定に至るときを事前に規定できる。例えば、これらルールは、１つまたは複数の製作パラメータについての閾値を事前に規定できるので、ある製作パラメータがこの製作パラメータについて事前に規定された閾値を一時点において超える、または下回る、ことが製作パラメータの記録された、および／または予測される、推移から明らかになると、この製作パラメータは、この時点において、所定の製作イベントに対応付け可能であると判定される。例えば、これらルールは、包装システムの包装材マガジン内の包装材の充填ステータスが閾値未満になった場合、この製作パラメータは再充填イベントに対応付け可能であると判定されるべきであることを事前に規定できる。
【００４７】
代わりに、または加えて、一製作パラメータが一製作イベントに対応付け可能であるかどうかの判定は、（例えば、人工ニューラルネットワークまたはサポートベクターマシンの形態の）自己学習アルゴリズムに従って行うこともできる。
【００４８】
例えば、所定の製作パラメータのうちの１つについて、所定の以前の時間周期における、および／または所定の以降の時間周期における、一時点においてその製作パラメータが所定の製作イベントに対応付け可能であると判定された場合、本方法は、
−  製作パラメータ推移ビューにおいて製作パラメータに対応付けられた時刻および／または推移曲線を強調する、および／または強調させる、ステップ、
−  製作イベントに対応付けられた製作イベント通知をグラフィックユーザ面の一部として表示する、および／または表示させる、ステップ、
−  製作イベントに対応付けられたグラフィックユーザ面の製作イベントビューを開くためのユーザ入力インタフェースをグラフィックユーザ面の一部として提供する、および／または提供させる、ステップ、
のうちの少なくとも１つを更に含む。
【００４９】
これらステップが実施されるのは、製作パラメータのうちの１つが、所定の以前の時間周期における、および／または所定の以降の時間周期における、一時点において、所定の製作イベントに対応付け可能と判定された場合のみであるので、これは、例えば、製作パラメータ推移ビューおよび／またはユーザ面が、実際に発生した、および／または発生し得る、製作イベントによってのみ影響を受けることを意味する。その結果、ユーザの注意をこのような製作イベントに向けることができ、製作パラメータ推移ビューおよび／またはユーザ面を依然として明確に配置しておくことができる。
【００５０】
製作パラメータ推移ビューにおける時刻の強調は、例えば、図式的な強調、例えば、マーキング（例えば、線および／または着色強調および／またはシンボルおよび／またはラベル）など、によって行うことができる。製作パラメータに対応付けられた推移曲線も、製作パラメータ推移ビューにおいて、例えば、マーキング（例えば、着色強調および／または推移曲線の線の鮮鋭度の変化）によって図式的に強調可能である。
【００５１】
上で開示したように、ユーザ面の一部としての製作パラメータ推移ビューの表示は、例えば、グラフィックユーザインタフェース（例えば、本発明による装置のグラフィックユーザインタフェース）によって行われる。したがって、強調させるとは、例えば、製作パラメータ推移ビューを対応する強調で表示するように、グラフィックユーザインタフェースが制御されることと理解されたい。
【００５２】
これは、例えば、製作イベントが発生した、および／または発生し得る、時点、および／または製作イベントに対応付け可能な製作パラメータ、をユーザに知らせるために有利である。
【００５３】
製作イベントに対応付けられた製作イベント通知の、グラフィックユーザ面の一部としての、表示は、例えば、グラフィックユーザインタフェース（例えば、本発明による装置のグラフィックユーザインタフェース）によって行われる。製作イベントに対応付けられた製作イベント通知をグラフィックユーザ面の一部として表示させるとは、例えば、製作イベントに対応付けられた製作イベント通知をグラフィックユーザ面の一部として表示するように、グラフィックユーザインタフェースが制御されることと理解されたい。
【００５４】
上で開示したように、グラフィックユーザ面は、例えば、包装システムを監視および／または制御するためのコンピュータプログラムの（例えば、本発明によるコンピュータプログラムの）ユーザ面である。製作イベント通知は、例えば、グラフィックユーザ面の一部に（例えば、グラフィックユーザインタフェースの一ウインドウに）表示される。例えば、製作イベント通知は、タスクリストに、および／または製作パラメータ推移ビューに、表示される。
【００５５】
製作イベント通知は、例えば、製作イベント通知に対応付けられた情報および／またはユーザに対する指示を含む。例えば、一製作イベント通知に対応付けられた情報は、一製作イベントの時刻、一製作イベントの種類（例えば、再充填イベント、保守または洗浄イベント、および／または障害イベント）、および／または製作イベントに対応付け可能な１つ（または複数）の製作パラメータを表示できる。製作イベント通知に対応付けられた指示は、例えば、障害イベントの場合は障害イベントの修復または回避の指示、再充填イベントの場合は再充填の指示、保守または洗浄イベントの場合は保守または洗浄の指示を含むことができる。
【００５６】
これは、例えば、ある時点で発生した、および／または発生し得る、製作イベントに対応付けられた情報および／または指示をユーザに表示するために有利である。その結果、ユーザは、例えば、製作イベントに特に迅速に対応できる。
【００５７】
グラフィックユーザ面の一部としてのユーザ入力インタフェースの提供は、例えば、グラフィックユーザインタフェース（例えば、本発明による装置のグラフィックユーザインタフェース）によって行われる。ユーザ入力インタフェースをグラフィックユーザ面の一部として提供させるとは、例えば、ユーザ入力インタフェースをグラフィックユーザ面の一部として表示するように、グラフィックユーザインタフェースが制御されることと理解されたい。ユーザ入力インタフェースの一例は、例えば、ユーザ入力によって（例えば、タッチ入力および／またはマウス入力によって）起動可能な、ボタンなどの、ユーザ面の要素である。
【００５８】
製作イベントに対応付けられた、グラフィックユーザ面の製作イベントビューを開くためのユーザ入力インタフェースは、例えば、製作イベントに対応付けられたグラフィックユーザ面の製作イベントビューをその起動時に開かせるように、構成される。
【００５９】
製作イベントビューは、例えば、製作イベント通知に対応付けられた情報および／またはユーザに対する指示を含む。上で開示したように、一製作イベント通知に対応付けられた情報は、例えば、一製作イベントの時刻、一製作イベントの種類（例えば、再充填イベント、保守または洗浄イベント、および／または障害イベント）、および／またはその製作イベントに対応付け可能な１つ（または複数）の製作パラメータを表示できる。一製作イベント通知に対応付けられた指示は、例えば、障害イベントの場合は障害イベントの修復または回避の指示、再充填イベントの場合は再充填の指示、保守または洗浄イベントの場合は保守または洗浄の指示を含むことができる。
【００６０】
これは、例えば、ある時点に発生した、および／または発生し得る、製作イベントに対応付けられた情報および／または指示を取り出す単純なオプションをユーザに与えるために、有利である。その結果、ユーザは、例えば、その製作イベントに特に迅速に対応できる。
【００６１】
本発明の一例示的実施形態によると、包装システムが複数の製作ラインを備える場合、所定の製作パラメータのうちの少なくとも１つは、包装システムの一製作ラインに固有の製作パラメータである、または複数の製作ラインにわたって平均化された製作パラメータである。
【００６２】
この場合、包装システムの一製作ラインに固有の製作パラメータとは、例えば、その製作パラメータ値が包装システムのこの製作ラインの一構成要素によって記録される製作パラメータであると理解されたい。
【００６３】
複数の製作ラインにわたって平均化された一製作パラメータは、例えば、その製作パラメータ値が複数の製作パラメータの平均値である一製作パラメータである。これら複数の製作パラメータの各々は、何れの場合も、複数の製作ラインのうちの一製作ラインに固有である。これは、例えば、製作パラメータ推移ビューの明確且つユーザフレンドリな表示を、例えば携帯型装置のグラフィックユーザインタフェースによっても、可能にするために有利である。
【００６４】
本発明の一例示的実施形態によると、本方法は、
−  所定の製作パラメータ、所定の以前の時間周期、および／または所定の以降の時間周期、を事前に規定する、および／または調整する、ためのユーザ入力インタフェースをグラフィックユーザ面の一部として提供する、および／または提供させる、ステップ、
を更に含む。
【００６５】
上で開示したように、グラフィックユーザ面の一部としてのユーザ入力インタフェースの提供は、例えば、グラフィックユーザインタフェース（例えば、本発明による装置のグラフィックユーザインタフェース）によって行われる。ユーザ入力インタフェースをグラフィックユーザ面の一部として提供させるとは、例えば、ユーザ入力インタフェースをグラフィックユーザ面の一部として表示するように、グラフィックユーザインタフェースが制御されることと理解されたい。ユーザ入力インタフェースの一例は、例えば、ユーザ入力によって（例えば、タッチ入力および／またはマウス入力によって）起動および／または操作可能な、ボタン、制御ボックス、またはスライドコントロールなどの、ユーザ面の要素である。
【００６６】
所定の製作パラメータ、所定の以前の時間周期、および／または所定の以降の時間周期、を事前に規定する、および／または調整する、ためのユーザ入力インタフェースは、例えば、所定の製作パラメータ、所定の以前の時間周期、および／または所定の以降の時間周期、を対応するユーザ入力によって事前に規定できる、および／または調整できる、ように構成される。
【００６７】
追加の複数のユーザ入力インタフェースがグラフィックユーザ面の一部になり得ることを理解されたい。
【００６８】
本発明の一例示的実施形態によると、製作パラメータ推移ビューは、携帯型装置のグラフィックユーザインタフェースによって、ユーザ面の一部として表示される。例えば、本発明による装置は、携帯型装置である。
【００６９】
例えば、携帯型装置とは、外形寸法が３３０ｍｍ×２５０ｍｍ×２０ｍｍ未満、好ましくは２５０ｍｍ×２００ｍｍ×１５ｍｍ未満、特に好ましくは１６０ｍｍ×８０ｍｍ×８ｍｍ未満、の装置であると理解されたい。
【００７０】
携帯型装置の複数の例は、スマートフォン、タブレットコンピュータ、またはノートブックコンピュータである。
【００７１】
上記の本発明の例示的実施形態および例示的構成は、あらゆる組み合わせで開示されていることを更に理解されたい。
【００７２】
本発明の更なる有利な例示的実施形態は、特に図と組み合わされた、本発明のいくつかの例示的実施形態の以下の詳細な説明から引き出すことができる。ただし、本願明細書に添付された図は、本発明の保護範囲を規定するためではなく、説明のためにのみ使用されることを意図している。添付の図面は、必ずしも一定比例の縮尺ではなく、本発明の全般的概念を例示的形態で単に反映している。特に、図面に含まれている特徴は、本発明の必須要素と決して考えられるべきではない。
【図面の簡単な説明】
【００７３】
【図１】本発明による装置の一例示的実施形態の概略表現を示す。
【図２】本発明によるシステムの一例示的実施形態の概略表現を示す。
【図３】本発明による方法の一例示的実施形態の流れ図を示す。
【図４】グラフィックユーザ面における製作パラメータ推移ビューの一例示的表示を示す。
【図５】記憶媒体の複数の例示的実施形態を示す。
【発明を実施するための形態】
【００７４】
図１は、本発明による装置の一例示的実施形態の概略表現である。本発明による装置は、図１に装置１として表されている。
【００７５】
装置１は、一例として、プロセッサ１０と、プログラムおよびデータメモリ１１としてプロセッサ１０に接続された第１メモリと、主メモリ１２としての第２メモリと、通信インタフェース１３と、グラフィックユーザインタフェース１４とを備える。
【００７６】
プロセッサとは、例えば、マイクロプロセッサ、マイクロコントロールユニット、マイクロコントローラ、デジタル信号プロセッサ（ＤＳＰ）、特定用途向け集積回路（ＡＳＩＣ）、またはフィールドプログラマブルゲートアレイ（ＦＰＧＡ）であると理解されたい。装置１は、複数のプロセッサ１０を備えることもできることを理解されたい。
【００７７】
プロセッサ１０は、プログラムメモリ１１に記憶されているプログラム命令を実行し、例えば、中間結果またはこれに類するものを主メモリ１２に記憶する。プログラムメモリ１１は、例えば、本発明によるコンピュータプログラムの複数のプログラム命令を収容する。コンピュータプログラムはプログラム命令を含み、プログラムメモリ１１に記憶されているこれらプログラム命令をプロセッサ１０が実行すると、本発明による方法（例えば、図３に示されているフローチャート３による方法）をプロセッサ１０に実施および／または制御させる。
【００７８】
プログラムメモリ１１は、例えば、装置のオペレーティングシステムも収容する。オペレーティングシステムは、装置の始動時に、少なくとも場合によっては、主メモリ１２に読み込まれ、プロセッサ１０によって実行される。特に、装置の始動時、オペレーティングシステムのコアの少なくとも一部が主メモリ１２に読み込まれ、プロセッサ１０によって実行される。
【００７９】
オペレーティングシステムの一例は、Ｗｉｎｄｏｗｓ（登録商標）、ＵＮＩＸ（登録商標）、Ｌｉｎｕｘ（登録商標）、Ａｎｄｒｏｉｄ（登録商標）、Ａｐｐｌｅ  ｉＯＳ（登録商標）、および／またはＭａｃ  ＯＳ（登録商標）オペレーティングシステムである。特に、オペレーティングシステムは、データ処理のために携帯型装置の使用を可能にする。オペレーティングシステムは、例えば、主メモリおよびプログラムメモリなどのツールを管理し、他のコンピュータプログラムとのプログラミングインタフェースを介して、とりわけ基本的な機能を提供し、コンピュータプログラムの実行を制御する。
【００８０】
プログラムメモリは、例えば、フラッシュドライブ、磁気メモリ、ＥＥＰＲＯＭメモリ（電気的に消去可能なプログラマブル読み出し専用メモリ）、および／または光学メモリなどの不揮発性メモリである。主メモリは、例えば、揮発性または不揮発性メモリ、特に、スタティックＲＡＭメモリ（ＳＲＡＭ）、ダイナミックＲＡＭメモリ（ＤＲＡＭ）、強誘電体ＲＡＭメモリ（ＦｅＲＡＭ）、および／または磁気ＲＡＭメモリ（ＭＲＡＭ）などのランダムアクセスメモリ（ＲＡＭ）である。
【００８１】
主メモリ１２とプログラムメモリ１１とは１つのメモリとしての形成も可能である。あるいは、主メモリ１２および／またはプログラムメモリ１１の各々を複数のメモリによって形成できる。更に、主メモリ１２および／またはプログラムメモリ１１をプロセッサ１０の一部にすることもできる。
【００８２】
プロセッサ１０は、通信インタフェース１３を制御する。通信インタフェースは、例えば、通信手法に従って通信経路および／または通信接続を介して情報を受信でき、それをプロセッサ１０に提供できる、および／またはプロセッサ１０から情報を受信でき、それを通信手法に従って通信経路および／または通信接続を介して送信できる。このような通信手法の複数の例は、複数の通信網とそれぞれの仕様であり、例えば、イーサネット（登録商標）網および／またはＷＬＡＮ網および／またはＥｔｈｅｒＣＡＴ（登録商標）などのリアルタイムイーサネット網および／またはＧＳＭ、ＵＭＴＳ、および／またはＬＴＥ網などの移動体通信網などである。したがって、通信インタフェースの一例は、イーサネットおよび／またはＷＬＡＮおよび／またはＥｔｈｅｒＣＡＴおよび／または移動体通信網アダプタなどのネットワークアダプタである。
【００８３】
更に、プロセッサ１０は、グラフィックユーザインタフェース１４を制御する。例えば、グラフィックユーザインタフェース１４は、グラフィックユーザ面（例えば、プロセッサ１０によって実行されるコンピュータプログラムのグラフィックユーザ面）を表示するように構成される。例えば、グラフィックユーザインタフェース１４は、タッチセンシティブスクリーンなどの画面である。
【００８４】
装置１の構成要素１０〜１４は、例えば、通信および／または操作目的のために、１つまたは複数のバスシステム（例えば、１つまたは複数の直列および／または並列バス接続）を介して互いに接続される。
【００８５】
装置１は、構成要素１０〜１４に加え、例えば、入出力手段（例えば、キーボードおよび／またはマウス）など、更なる構成要素を備えることができることを理解されたい。
【００８６】
装置１は、例えば、携帯型装置として（例えば、タブレットコンピュータとして）形成可能である。
【００８７】
図２は、本発明によるシステム２の一例示的実施形態の概略表現である。システム２は、包装システム２０と装置１とを有する。装置１は、包装システム２０のホルダに固締され、包装システム２０、および／または包装システム２０の構成要素、と通信接続２１を介して通信（例えば、製作パラメータ情報などの情報を送受信）可能である。以下においては、装置１は、図１の装置１に相当すると想定する。
【００８８】
包装システム２０は、例えば、飲料充填システム、および／または飲料充填システムの一部、である。このようなシステムには、多数の異なる構成要素、例えば、加熱システム（例えば、充填製品の超高温加熱のための加熱システム）、充填機、閉止栓および／または飲料ストローを取り付けるためのアプリケータ、スイッチポイント、ケースパッカー、およびカートナー、が使用されていることが多い。
【００８９】
包装システム２０の構成要素のうちの少なくとも一部は、包装システム２０の製作パラメータの少なくとも１つの製作パラメータ値を記録するように、およびこの少なくとも１つの記録された製作パラメータ値の表現を製作パラメータ情報として通信接続２１を介して装置１に送るように、構成される。
【００９０】
この場合、包装システム２０の製作パラメータとは、例えば、包装システム２０、および／または包装システム２０によって実行される製作工程、のステータスに固有のパラメータであると理解される。このような製作パラメータの複数の例は、包装体当たりの充填量、温度（例えば、充填材料の温度）、充填ステータスまたは充填レベル（例えば、包装システムの包装材マガジンの充填ステータスまたは包装システムの充填材料タンクなどの製品タンクの充填レベル）、包装システム２０の総システム性能、および／または包装システム２０の１つまたは複数の構成要素の性能（例えば、包装システムおよび／または構成要素によって一時間当たりに処理される包装体の数）、圧力（例えば、包装システム２０、および／または包装システム２０の構成要素、の加圧給気の圧力）、流量（例えば、包装システム２０の冷却デバイス内の冷却用流体の流量）、時間スペック（例えば、包装システム２０、および／または包装システム２０の構成要素、の洗浄工程などの進行中の工程の残り時間の通知）、および／または体積（例えば、包装システムの充填材料タンクなどの製品タンク内に残っている充填材料の体積）である。
【００９１】
図３は、本発明による方法の一例示的実施形態のステップの流れ図３を示す。以下においては、一例として、流れ図３のステップ３０１〜３０７が、システム２の一部である、装置１（図２を参照）によって実施されると想定する。
【００９２】
ステップ３０１において、包装システム２０の製作パラメータ情報が装置１において取得される、および／または装置１によって利用可能に保持される。包装システム２０の所定の１つまたは複数の製作パラメータについての製作パラメータ情報は、何れの場合も、所定の以前の時間周期の間に記録された推移を表す。
【００９３】
例えば、包装システム２０の製作パラメータ情報は、ステップ３０１において、包装システムから通信接続２１を介して通信インタフェース１３によって少なくとも部分的に受信される。代わりに、または加えて、包装システム２０の製作パラメータ情報は、装置１のプログラムメモリ１１に少なくとも部分的に記憶可能である。
【００９４】
例えば、何れの場合も、包装システムの構成要素によって直近に記録された製作パラメータ値を表す製作パラメータ情報は、通信接続２１を介して通信インタフェース１３によって受信され、その後にプログラムメモリ１１に連続的に、および／または定期的または不定期的に、記憶される。したがって、所定の製作パラメータの各々についての製作パラメータ情報は、例えば、所定の以前の時間周期の間に記録されたそれぞれの製作パラメータの複数の製作パラメータ値を表す。
【００９５】
ステップ３０２において、所定の以降の時間周期の間に予測されるそれぞれの推移は、製作パラメータ情報に少なくとも部分的に基づき、所定の製作パラメータの少なくとも各々について判定される。
【００９６】
ステップ３０２における判定は、所定のアルゴリズムに従って行うことができる。例えば、製作パラメータ情報は、アルゴリズムの入力値として役立つ。したがって、製作パラメータの予測される推移とは、例えば、アルゴリズムの結果として得られる、それぞれの製作パラメータの推移であると理解されたい。このようなアルゴリズムの複数の例は、上で開示したように、回帰分析法（例えば、線形回帰法）、自己学習アルゴリズム（例えば、人工ニューラルネットワークまたはサポートベクターマシンの形態）、および外挿アルゴリズム（例えば、線形外挿）である。
【００９７】
ステップ３０３においては、製作パラメータ推移ビューがグラフィックユーザ面の一部として表示される、または製作パラメータ推移ビューの表示が引き起こされる。製作パラメータ推移ビューの第１区画は、所定の以前の時間周期の間に記録された所定の製作パラメータの推移をグラフで表す。第１区画に続く製作パラメータ推移ビューの第２区画は、所定の以降の時間周期の間に予測される所定の製作パラメータの推移をグラフで表す。
【００９８】
図４は、グラフィックユーザ面４におけるこのような製作パラメータ推移ビュー４０の例示的表示を示す。グラフィックユーザ面は、例えば、包装システム２０を監視および／または制御するためにプロセッサ１０によって実行される、プログラムメモリ１１に記憶されているコンピュータプログラムのユーザ面である。
【００９９】
図４から明らかなように、製作パラメータ推移ビュー４０は、例えば、グラフィックユーザ面４の一部でもあるタスクまたはステータスリスト４１の下のグラフィックユーザ面４の部分に表示される。
【０１００】
製作パラメータ推移ビュー４０は、第１区画４０１と第２区画４０２とを備える。製作パラメータ推移ビューの第１区画４０１は、例えば、所定の以前の時間周期の間に記録された所定の製作パラメータの推移４０３〜４０５を表す推移図を含む。製作パラメータ推移ビューの第２区画は、例えば、所定の以降の時間周期の間に予測される所定の製作パラメータの推移４０６〜４０８を表す推移図を含む。例えば、複数の異なる推移が重なり合う推移曲線（４０３〜４０８を参照）として、共通のＸ軸４０９と共に、推移図に表される。
【０１０１】
この製作パラメータ推移ビューには、１時間当たりの包装数として記録された、および予測される、システム性能の推移が、例えば、推移曲線４０３および推移曲線４０６によって表されており、包装材マガジンの充填ステータスの記録された、および予測される、推移が推移曲線４０４および推移曲線４０７によって表されており、包装体当たりの充填量の記録された、および予測される、推移が推移曲線４０５および推移曲線４０８によって表されている。
【０１０２】
製作パラメータ推移ビュー４０の第１区画４０１と第２区画４０２との間の移行部は、例えば、図４においては線４１０と、現在時刻を表示するラベル「１０：００」とによって強調されている。
【０１０３】
更に、ユーザ面４は、例えば、所定の製作パラメータ、所定の以前の時間周期、および／または所定の以降の時間周期を事前に規定する、および／または調整する、ための１つまたは複数のユーザ入力インタフェースを提供できる。代わりに、または加えて、所定の製作パラメータ、所定の以前の時間周期、および／または所定の以降の時間周期を少なくとも部分的に固定的に事前に規定できる（すなわち、ユーザの代わりに変更不能に事前に規定できる）。ユーザ入力インタフェースの一例は、ユーザ入力によって（例えば、タッチ入力および／またはマウス入力によって）起動および／または操作可能な、ボタン、制御ボックス、またはスライドコントロールなどの、ユーザ面４の要素である。
【０１０４】
所定の製作パラメータ、所定の以前の時間周期、および／または所定の以降の時間周期のそれぞれの表現は、例えば、メモリに（例えば、プログラムメモリ１１または主メモリ１２に）記憶される。
【０１０５】
選択ステップ３０４において、所定の製作パラメータの各々について、それぞれの製作パラメータについて記録された推移、および／またはそれぞれの製作パラメータについて予測される推移、に少なくとも部分的に基づき、それぞれの製作パラメータが所定の以前の時間周期における、および所定の以降の時間周期における、一時点において所定の製作イベントに対応付け可能であるかどうかが判定される。
【０１０６】
上で開示したように、製作イベントとは、例えば、包装システム２０のユーザによる介入を必要とするイベントであると理解されたい。このような製作イベントの複数の例は、例えば、再充填イベント（例えば、包装システムの包装材マガジンに溜められている包装材が無くなりかけているとき）、汚損または保守イベント（例えば、包装システムの構成要素の汚損または摩耗）、製作終了イベント（例えば、所定の数の包装体が包装システムによって包装および／または充填されたとき）、および／または障害イベント（例えば、充填材料の温度の超過または未達）である。
【０１０７】
製作パラメータが製作イベントに対応付け可能であるかどうかの判定は、例えば、所定の複数のルールに従って行うことができる。これら所定のルールは、例えば、製作パラメータを所定の以前の時間周期における、および所定の以降の時間周期における、一時点において、所定の製作イベントに対応付け可能であると判定されるときを事前に規定できる。例えば、これらルールは、１つまたは複数の製作パラメータについての閾値を事前に規定できるので、一製作パラメータがこの製作パラメータについて事前に規定された閾値を一時点において超える、またはこれを下回る、ことが製作パラメータの記録された、および／または予測される、推移から明らかになると、この製作パラメータは、この時点において、所定の製作イベントに対応付け可能であると判定される。以下においては、例えば、これらルールは、包装システムの包装材マガジン内の包装材の充填ステータスが１０％の閾値を下回った場合に、この製作パラメータを再充填イベントに対応付け可能であると判定されるべきであることを事前に規定すると想定する。
【０１０８】
所定の製作パラメータのうちの少なくとも１つについてのステップ３０４の判定によって、製作パラメータが所定の以前の時間周期における、および／または所定の以降の時間周期における、一時点において、所定の製作イベントに対応付け可能であると判定されると、本方法は、例えば、選択ステップ３０５〜３０７のうちの１つまたは複数に続く。それ以外の判定であると、本方法は、例えば、終了する。
【０１０９】
ステップ３０５において、製作イベントの時刻は、製作パラメータ推移ビューにおいて強調される、または強調させられる。
【０１１０】
製作パラメータ推移ビューにおける時刻の強調は、例えば、図式的な強調、例えば、マーキング（例えば、線および／または着色強調および／またはシンボルおよび／またはラベル）など、によって行える。製作パラメータに対応付けられた推移曲線も、製作パラメータ推移ビューにおいて、例えば、マーキング（例えば、着色強調および／または推移曲線の線の鮮鋭度の変化）によって図式的に強調可能である。
【０１１１】
図４に示されている製作パラメータ推移ビューには、包装材マガジンの充填ステータスが１０％の閾値を下回った時刻１０：３０が線４１１とラベル「１０：３０」とによって強調されている。
【０１１２】
ステップ３０６において、製作イベントに対応付けられた製作イベント通知がグラフィックユーザ面の一部として表示される、またはこの製作イベント通知の表示が引き起こされる。
【０１１３】
製作イベント通知は、例えば、製作イベント通知に対応付けられた情報および／またはユーザに対する指示を含む。例えば、一製作イベント通知に対応付けられた情報は、一製作イベントの時刻、一製作イベントの種類（例えば、再充填イベント、保守または洗浄イベント、および／または障害イベント）、および／またはこの製作イベントに対応付け可能な１つ（または複数）の製作パラメータを表示できる。製作イベント通知に対応付けられた指示は、例えば、障害イベントの場合は障害イベントの修復または回避の指示、再充填イベントの場合は再充填の指示、保守または洗浄イベントの場合は保守または洗浄の指示を含むことができる。
【０１１４】
図４に示されている製作パラメータ推移ビューにおいて、包装材マガジンの充填ステータスが１０％の閾値を下回っている時間周期の網掛けは、このような製作イベント通知の一例であり、表示される通知「１０％充填ステータスエラーＡＢＣ：充填ステータス低−再充填」が表されている。ここで、「エラーＡＢＣ」は、例えば、エラーコードである。
【０１１５】
ステップ３０６において、製作イベントに対応付けられたグラフィックユーザ面４の製作イベントビューを開くためのユーザ入力インタフェースがグラフィックユーザ面４の一部として提供される、またはその提供が引き起こされる。製作イベントビューは、例えば、製作イベント通知に対応付けられた情報および／またはユーザに対する指示を含む。
【０１１６】
図５は、本発明によるコンピュータプログラムの一例示的実施形態を記憶できる記憶媒体の複数の例示的実施形態を示す。記憶媒体は、例えば、磁気、電気、光学、および／または他の種類の記憶媒体とすることができる。記憶媒体は、例えば、プロセッサ（例えば、図１の携帯型装置１のプロセッサ１０）の一部、例えば、プロセッサの（不揮発性または揮発性）プログラムメモリまたはこの一部、とすることができる。記憶媒体の複数の例示的実施形態は、フラッシュメモリ５００、ＳＳＤハードドライブ５０１、磁気ハードドライブ５０２、メモリカード５０３、メモリスティック５０４（例えば、ＵＳＢスティック）、ＣＤ−ＲＯＭまたはＤＶＤ５０５、またはディスケット５０６である。
【０１１７】
本願明細書に記載の本発明の複数の例示的実施形態は、互いにあらゆる組み合わせで開示されているということも理解されたい。特に、一実施形態に含まれている一特徴の説明は、別様に明示的に説明されていない限り、本ケースにおいては、その特徴がその例示的実施形態の機能のために必要または必須であるとは理解されないものとする。本願明細書に概説されている個々の流れ図における方法ステップの順番は、絶対的に必要ではなく、別様に示されていない限り、これら方法ステップの代りの順番も考えられる。これら方法ステップは、異なる方法で実現可能であるので、これら方法ステップを実現するために、ソフトウェアで（プログラム命令によって）、ハードウェアで、またはこの２つの組み合わせで、の実現が考えられる。
【０１１８】
特許請求の範囲で使用されている、「を備える（独：umfassen，英：comprise）」、「を有する（独：aufweisen，英：have）」、「を収容する（独：beinhalten，英：contain）」、「を含む（独：enthalten，英：include）」等々などの用語は、追加の要素またはステップを排除しない。表現「少なくとも部分的に（独：zumindest teilweise，英：at least partially）」は、「部分的に（独：teilweise，英：partially）」の場合と「全面的に（独：vollstaendig，英：fully）」の場合の両方を含む。表現「および／または（独：und/oder，英：and/or）」は、どちらか一方および組み合わせの両方が開示されると理解されたい。すなわち、「Ａおよび／またはＢ」は、「（Ａ）または（Ｂ）、あるいは（ＡおよびＢ）」を意味する。本願明細書の文脈において、複数の（独：Eine Mehrzahl von，英：a plurality of）ユニット、個体、またはこれらに類するものは、多数の（独：mehrere，英：multiple）ユニット、個体、またはこれらに類するものを意味する。不定冠詞の使用は、複数を排除しない。一個別デバイスは、特許請求の範囲に言及されている複数のユニットまたはデバイスの機能を実施できる。特許請求の範囲に示されている参照符号は、使用される手段およびステップの制約として見做されないものとする。
【図１】
2020517535.tif 000003
【図２】
2020517535.tif 000004
【図３】
2020517535.tif 000005
【図４】
2020517535.tif 000006
【図５】
2020517535.tif 000007
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
方法であって、
−  包装システム（２０）の製作パラメータ情報を取得する、および／または利用可能に保持する、ステップ（３０１）であって、前記包装システム（２０）の１つまたは複数の所定の製作パラメータについての前記製作パラメータ情報は、何れの場合も、所定の以前の時間周期の間に記録された推移（４０３〜４０５）を表す、ステップ（３０１）と、
−  前記所定の製作パラメータの少なくとも各々について、前記製作パラメータ情報に少なくとも部分的に基づき、所定の以降の時間周期の間に予測されるそれぞれの推移（４０６〜４０８）を判定するステップ（３０２）と、
−  製作パラメータ推移ビュー（４０）をグラフィックユーザ面（４）の一部として表示する、または表示させる、ステップ（３０３）であって、前記製作パラメータ推移ビュー（４０）の第１区画（４０１）は、前記所定の以前の時間周期の間に記録された前記所定の製作パラメータの前記推移（４０３〜４０５）をグラフで表し、前記第１区画（４０１）に続く前記製作パラメータ推移ビュー（４０）の第２区画（４０２）は、前記所定の以降の時間周期の間に予測される前記所定の製作パラメータの前記推移（４０６〜４０８）をグラフで表し、前記製作パラメータ推移ビュー（４０）が前記グラフィックユーザ面（４）の一部として表示されるとき、前記製作パラメータ推移ビュー（４０）の前記第１区画および前記第２区画（４０１、４０２）の間の移行部（４１０）は、前記グラフィックユーザ面（４）の中心が前記製作パラメータ推移ビュー（４０）の前記第１区画および前記第２区画（４０１、４０２）の間の前記移行部（４１０）に接触しないように、および／またはそこに位置しないように、前記グラフィックユーザ面（４）の前記中心の外側の位置にある、ステップ（３０３）と、
を含む方法。
【請求項２】
前記所定の製作パラメータの各々についての前記製作パラメータ情報は、何れの場合も、前記所定の以前の時間周期の間に記録された複数の製作パラメータ値と前記それぞれの製作パラメータの現在の製作パラメータ値とを表す、請求項１に記載の方法。
【請求項３】
前記所定の製作パラメータの各々についての前記製作パラメータ推移ビュー（４０）は、何れの場合も、前記それぞれの製作パラメータに対応付けられた推移曲線（４０３〜４０８）を含み、前記推移曲線の各々は、何れの場合も、前記それぞれの推移曲線に対応付けられた前記製作パラメータについて記録された、および予測される、推移をグラフで表す、請求項１または２に記載の方法。
【請求項４】
前記推移曲線の各々は、前記製作パラメータ推移ビュー（４０）の前記第１区画および前記第２区画（４０１、４０２）の間の移行部（４１０）において、前記それぞれの推移曲線（４０３〜４０８）に対応付けられた前記製作パラメータの現在の製作パラメータ値を表す、請求項３に記載の方法。
【請求項５】
前記製作パラメータ推移ビュー（４０）の前記第１区画および前記第２区画（４０１、４０２）の間の前記移行部（４１０）は、前記製作パラメータ推移ビュー（４０）において図式的に強調される、請求項１〜４の何れか一項に記載の方法。
【請求項６】
−  前記所定の製作パラメータの各々について、前記それぞれの製作パラメータについて記録された前記推移（４０３〜４０５）、および／または前記それぞれの製作パラメータについて予測される前記推移（４０６〜４０８）、に少なくとも部分的に基づき、前記それぞれの製作パラメータを前記所定の以前の時間周期における、および前記所定の以降の時間周期における、一時点において、所定の製作イベントに対応付け可能であるかどうかを判定するステップ（３０４）、
を更に含む、請求項１〜５の何れか一項に記載の方法。
【請求項７】
前記所定の製作パラメータのうちの１つについての前記判定によって、前記製作パラメータは、前記所定の以前の時間周期における、および／または前記所定の以降の時間周期における、一時点において、所定の製作イベントに対応付け可能であると判定された場合は、
−  前記製作パラメータ推移ビュー（４０）において前記時点を強調する、および／または強調させる、ステップ（３０５）、
−  前記製作イベントに対応付けられた製作イベント通知を前記グラフィックユーザ面（４）の一部として表示する、および／または表示させる、ステップ（３０６）、
−  前記製作イベントに対応付けられた前記グラフィックユーザ面の製作イベントビューを開くためのユーザ入力インタフェースを前記グラフィックユーザ面（４）の一部として提供する、および／または提供させる、ステップ（３０７）、
のうちの少なくとも１つを更に含む、請求項６に記載の方法。
【請求項８】
前記包装システム（２０）が複数の製作ラインを備える場合、前記所定の製作パラメータのうちの少なくとも１つは、前記包装システム（２０）の一製作ラインに固有の製作パラメータである、または複数の製作ラインにわたって平均化された製作パラメータである、請求項１〜７の何れか一項に記載の方法。
【請求項９】
−  前記所定の製作パラメータ、前記所定の以前の時間周期、および／または前記所定の以降の時間周期、を事前に規定する、および／または調整する、ためのユーザ入力インタフェースを前記グラフィックユーザ面（４）の一部として提供する、および／または提供させる、ステップ、
を更に含む、請求項１〜８の何れか一項に記載の方法。
【請求項１０】
前記所定の以前の時間周期および／または前記所定の以降の時間周期は、ユーザに対して変更不能であるように、固定的に事前に規定される、請求項１〜８の何れか一項に記載の方法。
【請求項１１】
プログラム命令を備えたコンピュータプログラムであって、前記コンピュータプログラムがプロセッサ（１０）によって実行されると、前記プログラム命令は、請求項１〜１０の何れか一項に記載の方法を前記プロセッサ（１０）に実施および／または制御させる、コンピュータプログラム。
【請求項１２】
装置（１）であって、請求項１〜１０の何れか一項に記載の方法を実施および／または制御するように構成された、または請求項１〜１０の何れか一項に記載の方法のステップを実施および／または制御するためのそれぞれの手段（１０〜１４）を備えた、装置（１）。
【請求項１３】
システム（２）であって、
−  請求項１２に記載の装置（１）と、
−  包装システム（２０）と、
を備えたシステム（２）。
【国際調査報告】
2020517535.tif 000008
2020517535.tif 000009
2020517535.tif 000010
2020517535.tif 000011